(57)【要約】【課題】支柱の取り付け角度調整が容易な支柱脚部の固定構造を提供すること。【解決手段】コンクリートまたは笠木の上に支柱を取り付けるための支柱脚部の固定構造であって、前記コンクリートまたは笠木の上に載置される基板部と、前記基板部から立ち上がった第１、第２の支持腕とから成り、前記基板部は、水平面に対して所定角度傾斜するとともに、前記第１、第２の支持腕は、互いに内側に折曲しており所定の間隔を有して対向配置されたので、支柱の取り付け角度調整が容易である。【選択図】図１
2008174922.tif 000002
【特許請求の範囲】
【請求項１】
コンクリートまたは笠木の上に支柱を取り付けるための支柱脚部の固定構造であって、
前記コンクリートまたは笠木の上に載置される基板部と、
前記基板部から立ち上がった第１、第２の支持腕とから成り、
前記基板部は、水平面に対して所定角度傾斜するとともに、
前記第１、第２の支持腕は、互いに内側に折曲しており所定の間隔を有して対向配置されたことを特徴とする支柱脚部の固定構造。
【請求項２】
前記第１、第２の支持腕は、それぞれ外側端に平行面部を有することを特徴とする請求項１に記載の支柱脚部の固定構造。
【請求項３】
前記平行面部は、ローレット加工を施したことを特徴とする請求項１に記載の支柱脚部の固定構造。
【発明の詳細な説明】
【技術分野】
【０００１】
本発明は、ビルの屋上階やベランダ等に取り付け、落下防止の手摺り等を支えるための支柱脚部の固定構造に関するものである。
【背景技術】
【０００２】
一般に、ビルの屋上やベランダに形成されたパラペットの上面には、支柱が取り付けられ、トップレールが長手方向に架設されている。しかし、従来の支柱脚部の固定構造は、図６に示すようにアルミニウムのフラットバーをＵ字形に成形し、このＵ字形の固定具１をアンカーボルト２で床面３等に固定し、Ｕ字形の固定具１の上から支柱４を装着した後に、ビス５で固定していた。
【発明の開示】
【発明が解決しようとする課題】
【０００３】
しかし、図６に示すような構造の従来の支柱脚部の固定構造にあっては、取り付ける固定具１の取り付け角度によって支柱４の床面３に対する角度が略決まってしまい、支柱の取り付け角度を調整することが殆どできないと云う問題点が存在した。
【課題を解決するための手段】
【０００４】
前記目的を達成するために、請求項１に記載の発明は、コンクリートまたは笠木の上に支柱を取り付けるための支柱脚部の固定構造であって、前記コンクリートまたは笠木の上に載置される基板部と、前記基板部から立ち上がった第１、第２の支持腕とから成り、前記基板部は、水平面に対して所定角度傾斜するとともに、前記第１、第２の支持腕は、互いに内側に折曲しており所定の間隔を有して対向配置されたことを特徴としている。
【０００５】
また、請求項２に記載の発明において、前記第１、第２の支持腕は、それぞれ外側端に平行面部を有することを特徴とするものである。
【０００６】
また、請求項３に記載の発明において、前記平行面部は、ローレット加工を施したことを特徴とするものである。
【発明の効果】
【０００７】
この発明は前記した構成からなるので、以下に説明するような効果を奏することができる。
【０００８】
請求項１に記載の発明では、コンクリートまたは笠木の上に支柱を取り付けるための支柱脚部の固定構造であって、前記コンクリートまたは笠木の上に載置される基板部と、前記基板部から立ち上がった第１、第２の支持腕とから成り、前記基板部は、水平面に対して所定角度傾斜するとともに、前記第１、第２の支持腕は、互いに内側に折曲しており所定の間隔を有して対向配置されたので、第１、第２の支持腕に装着する角筒状の支柱の取り付け角度を微調整することができる。
【０００９】
また、請求項２に記載の発明において、前記第１、第２の支持腕は、それぞれ外側端に平行面部を有するので、第１、第２の支持腕に装着する角筒状の支柱をこの平行面部にドリル付きタッピングネジで固定することにより調整した角度で取り付けることができる。また、平行面部は、外側間隔が最大の部分であるため、角筒状の支柱内周面と必ず当接しており、ここをドリル付きタッピングネジで固定することで、確実に支柱を固定することができる。
【００１０】
また、請求項３に記載の発明において、前記平行面部は、ローレット加工を施したので、第１、第２の支持腕に角筒状の支柱を装着する際に、ドリル付きタッピングネジで固定する際にドリルの先端がズレる事が無く作業が容易となる。また、第１、第２の支持腕と支柱との接合性を向上することができる。
【発明を実施するための最良の形態】
【００１１】
本発明は、水平面に対して所定角度傾斜した基板部と基板部から立ち上がるとともに、互いに内側に折曲し、所定の間隔を有して対向配置された第１、第２の支持腕とから成り、第１、第２の支持腕に装着する支柱の取り付け角度調整が可能な支柱脚部の固定構造を実現した。
【実施例１】
【００１２】
以下、一実施の形態を示す図面に基づいて本発明を詳細に説明する。図１は、本発明に係る支柱脚部の固定構造の一例を示す斜視図、図２は本発明の支柱脚部の固定構造を示す側面図である。ここで、支柱脚部の固定構造１０は、コンクリートまたは笠木の上に支柱を取り付けるためのものであって、前記コンクリートまたは笠木の上に載置される基板部１１と、この基板部１１から立ち上がった第１、第２の支持腕１２、１３とから成り、前記基板部１１は、水平面に対して所定角度傾斜するとともに、前記第１、第２の支持腕１２、１３は、互いに内側に折曲しており所定の間隔を有して対向配置されている。
【００１３】
基板部１１は、中央上面に浅溝１１ａを有しアンカーボルト等で固定する際にボルト孔を穿設する作業が容易となっている。また、基板部１１の両端部上面にも浅溝１１ｂが長手方向に沿って形成されている。第１の支持腕１２は、基板部１１が所定角度、例えば、４〜７°傾いた状態でほぼ鉛直になるように立設されている。第２の支持腕１３も同様に基板部１１が所定角度傾いた状態でほぼ鉛直になるように立設されている。
【００１４】
第１の支持腕１２は、立ち上がりから平行面部１２ａまで外側方向に僅かにθだけ傾斜している。例えば、３〜５°程度である。平行面部１２ａは、第１の支持腕１２の外側面に形成されており、微小凹凸が形成されている。微小凹凸は、例えば、ローレット加工等によって形成される。平行面部１２ａから先端までは、逆に内側に向かってθだけ傾斜している。例えば、３〜５°程度である。
【００１５】
第２の支持腕１３は、立ち上がりから平行面部１３ａまで外側方向に僅かにθだけ傾斜している。例えば、３〜５°程度である。平行面部１３ａは、第２の支持腕１３の外側面に形成されており、微小凹凸が形成されている。微小凹凸は、例えば、ローレット加工等によって形成される。平行面部１３ａから先端までは、逆に内側に向かってθだけ傾斜している。例えば、３〜５°程度である。
【００１６】
以上のように構成された本発明に係る支柱脚部の固定構造１０の使用方法について説明する。先ず、図３に示すようにコンクリート製のパラペット１４の上面に直接、基板部１１を載せてパラペット内に埋設されたアンカーボルト１５で固定する。この際、パラペット１４の上面は、所定角度傾斜しているが、必ずしもこの傾斜角が均一でない場合がある。つまり、基板部１１下面は、パラペット上面の傾斜に適合するだけの傾斜を当初から持っているが、パラペット上面の傾斜が均一でない場合、ここから立設された第１、第２の支持腕が垂直でなくなる。そこで本発明では、第１の支持腕１２，第２の支持腕１３がそれぞれ内側に折曲しており、装着した角筒状の支柱１６の挿入角度を微調整することができる。支柱１６を鉛直に調整した後、第１の支持腕１２，第２の支持腕１３の平行面部１２ａ、１３ａでドリル付きタッピングネジ１７で固定する。平行面部１２ａ、１３ａは、第１の支持腕１２と第２の支持腕１３の外側間隔が最大の部分であるため、角筒状の支柱内周面と必ず当接している。また、平行面部には、微小凹凸が形成されているので、支柱１６内周面との接合性が向上する。
【００１７】
図４は、本発明の支柱脚部の固定構造を使用して金属製笠木の上に支柱を固定した場合を示す要部断面図である。本実施例において、コンクリート製のパラペット１４等の上に先ず、アンカーボルト１５によって取付金具２１を固定する。この取付金具２１により、アルミ笠木１９を取り付けるとともにその上に基板部１１を載せてドリル付きタッピングネジ２０で取り付ける。この際、タッピングネジ２０は、アルミ笠木１９を貫通して取付金具２１に到達するようにねじ込む。基板部１１の第１の支持腕１２，第２の支持腕１３に対する支柱１６の挿入角度の調整手順は、前述したと同様である。このようにして、アルミ笠木１９の上にトップレール等を取り付けることができる。
【００１８】
図５は、パラペット１４から立設した支柱１６に手摺り部材（トップレール）１８を架設した例である。所定間隔で支柱１６を鉛直に立設し、各支柱の頂部を結ぶ形に手摺り部材を取り付ける。このようにしてパラペット１４の上にトップレール１８を安定した形態で付設することができる。
【００１９】
なお、本発明は上述の実施例に限定されることなく、特許請求の範囲の記載に基づいて種々の設計変更が可能である。
【図面の簡単な説明】
【００２０】
【図１】図１は、本発明に係る支柱脚部の固定構造の一例を示す斜視図である。
【図２】図２は、同支柱脚部の固定構造を示す側面図である。
【図３】図３は、同支柱脚部の固定構造を使用してコンクリートの上に直接支柱を固定した場合を示す要部断面図である。
【図４】図４は、同支柱脚部の固定構造を使用して金属製笠木の上に支柱を固定した場合を示す要部断面図である。
【図５】図５は、同支柱脚部の固定構造を使用して柵を取り付けた状態を示す正面図である。
【図６】図６は、従来の支柱脚部の固定構造の一例を示す要部断面図である。
【符号の説明】
【００２１】
１０      支柱脚部の固定構造
１１      基板部
１２      第１の支持腕
１３      第２の支持腕
１４      パラペット
１５      アンカーボルト
１６      支柱
１７      ドリル付きタッピングネジ
１８      手摺り部材
１９      アルミ笠木
２０      ドリル付きタッピングネジ
【図１】
2008174922.tif 000003
【図２】
2008174922.tif 000004
【図３】
2008174922.tif 000005
【図４】
2008174922.tif 000006
【図５】
2008174922.tif 000007
【図６】
2008174922.tif 000008